(57)【要約】【課題】端子ねじが挿通する開口部の縁と上面部の端縁との間隔を確保することのできるピラー端子及びコンセント及びスイッチを提供する。【解決手段】このピラー端子８０は、端子枠１１０と端子ねじ１００とを備える。端子枠１１０は、第１側面部１１４及び第２側面部１１６と、第１側面部１１４と第２側面部１１６との間に設けられた底面部１１５と、底面部１１５に対向して第２側面部１１６から延設された第２上面部（内側上面部）１１７と、この第２上面部１１７の外側面に対向し第１側面部１１４から延設された第１上面部（外側上面部）１１３とを備えている。第１側面部１１４と第２側面部１１６と底面部１１５と第２上面部１１７とにより囲まれる空間である端子枠貫通孔には、電線が配置される。第１上面部１１３は、第２側面部１１６から外部に突出するように形成されている。【選択図】図７
2011108586.tif 000002
【特許請求の範囲】
【請求項１】
端子枠内に挿入される電線を端子ねじにより固定するピラー端子において、
前記端子枠は、互い対向する第１側面部及び第２側面部と、前記第１側面部と前記第２側面部との間に設けられた底面部と、前記底面部に対向して前記第２側面部から延設された内側上面部と、この内側上面部の外側面に対向し前記第１側面部から延設された外側上面部とを含み、前記第１側面部と前記第２側面部と前記底面部と前記内側上面部とにより囲まれる空間である端子枠貫通孔に前記電線が配置されるものであり、
前記外側上面部は、前記第２側面部から外部に突出して形成されている
ことを特徴とするピラー端子。
【請求項２】
請求項１に記載のピラー端子において、
前記端子枠と前記端子ねじの先端部との間には、前記端子ねじの先端部により押される端子補助板が設けられている
ことを特徴とするピラー端子。
【請求項３】
請求項１または２に記載のピラー端子を含むコンセント。
【請求項４】
請求項３に記載のコンセントにおいて、
前記外側上面部のうち前記第２側面部よりも外部に突出している部分を突出部として、
当該コンセントは、前記ピラー端子を収容する収容ケースを備えるものであり、
前記収容ケースは、前記ピラー端子を収容するピラー端子収容室が設けられ、
前記ピラー端子収容室には、前記ピラー端子を前記ピラー端子収容室に収容したときに前記突出部が嵌り込む嵌合部が設けられている
ことを特徴とするコンセント。
【請求項５】
請求項１または２に記載のピラー端子を含むスイッチ。
【請求項６】
請求項５に記載のスイッチにおいて、
前記外側上面部のうち前記第２側面部よりも外部に突出している部分を突出部として、
前記ピラー端子を収容する収容ケースを備え、
前記収容ケースには、前記ピラー端子を収容するピラー端子収容室が設けられ、
前記ピラー端子収容室には、前記ピラー端子を前記ピラー端子収容室に収容したときに前記突出部が嵌り込む嵌合部が設けられている
ことを特徴とするスイッチ。
【発明の詳細な説明】
【技術分野】
【０００１】
本発明は、電線が内側に挿入される筒状の端子枠と、この端子枠内にねじ入れられる端子ねじとを備えたピラー端子並びにその接続構造のコンセント及びスイッチ。
【背景技術】
【０００２】
コンセントの刃受けと電線とを電気的に接続するピラー端子が知られている（例えば、特許文献１）。ピラー端子は、端子枠と端子ねじにより構成されている。端子枠内には１本又は数本の電線が挿入される。端子ねじを端子枠にねじ入れることにより、電線と接触端子部とが押圧される。これにより、電線と接触端子部とが電気的に接続される。
【先行技術文献】
【特許文献】
【０００３】
【特許文献１】特開２００３−２４９２８２号公報
【発明の概要】
【発明が解決しようとする課題】
【０００４】
近年、コンセントやスイッチの小型化にともないピラー端子も小型化することが要求されるが、ピラー端子を小型化する場合、端子ねじが挿通する開口部の縁と上面部の端縁との間隔を狭くする必要がある。しかし、この場合は、ピラー端子の製造過程において前記開口部を形成したときに、開口部の縁と上面部の端縁との間の部分に変形が生じやすいことが問題となる。
【０００５】
本発明はこのような実情に鑑みてなされたものであり、その目的は、端子ねじが挿通する開口部の縁と上面部の端縁との間隔を確保することのできるピラー端子及びコンセント及びスイッチを提供することにある。
【課題を解決するための手段】
【０００６】
以下、上記目的を達成するための手段及びその作用効果について記載する。
（１）請求項１に記載の発明は、端子枠内に挿入される電線を端子ねじにより固定するピラー端子において、前記端子枠は、互い対向する第１側面部及び第２側面部と、前記第１側面部と前記第２側面部との間に設けられた底面部と、前記底面部に対向して前記第２側面部から延設された内側上面部と、この内側上面部の外側面に対向し前記第１側面部から延設された外側上面部とを含み、前記第１側面部と前記第２側面部と前記底面部と前記内側上面部とにより囲まれる空間である端子枠貫通孔に前記電線が配置されるものであり、前記外側上面部は、前記第２側面部から外部に突出して形成されていることを要旨とする。
【０００７】
この発明によれば、外側上面部が、第２側面部から外部に突出して形成されているため、外側上面部に形成される開口部と外側上面部の端縁までの間隔を大きくすることができる。
【０００８】
（２）請求項２に記載の発明は、請求項１に記載のピラー端子において、前記端子枠と前記端子ねじの先端部との間には、前記端子ねじの先端部により押される端子補助板が設けられていることを要旨とする。
【０００９】
端子ねじの先端部により電線を押圧する構造の従来のピラー端子にあっては、端子ねじの先端部により電線が捻られながら押圧するようになるため、電線の一部分に強く圧力が加わる。この点、本発明によれば、電線が端子補助板により押圧されるため、電線が端子ねじの先端により押圧される構造のピラー端子に比較して、電線を均等に押圧することができる。
【００１０】
（３）請求項３に記載の発明は、請求項１または２に記載のピラー端子を含むコンセントであることを要旨とする。
端子ねじをねじ込むときに外側上面部に加わる力によって同外側上面部の変形が生じるおそれがある。この点、本発明によれば、外側上面部に形成される開口部と外側上面部の端縁までの間隔が大きくなっているため、当該部分の強度が大きくなり、当該部分の変形を抑制することができる。これにより、コンセントの耐久性を向上することができる。
【００１１】
（４）請求項４に記載の発明は、請求項３に記載のコンセントにおいて、前記外側上面部のうち前記第２側面部よりも外部に突出している部分を突出部として、当該コンセントは、前記ピラー端子を収容する収容ケースを備えるものであり、前記収容ケースは、前記ピラー端子を収容するピラー端子収容室が設けられ、前記ピラー端子収容室には、前記ピラー端子を前記ピラー端子収容室に収容したときに前記突出部が嵌り込む嵌合部が設けられていることを要旨とする。
【００１２】
この発明によれば、ピラー端子をピラー端子収容室に収容すると端子枠の突出部が嵌合部に嵌り込むため、このような嵌合部がないものと比較して、ピラー端子のピラー端子収容室に収容する際におけるピラー端子のピラー端子収容室に対する位置決め精度を高くすることができる。
【００１３】
（５）請求項５に記載の発明は、請求項１または２に記載のピラー端子を含むスイッチであることを要旨とする。
この発明によれば、外側上面部の開口部と外側上面部の端縁までの部分の強度が大きくなっているため、当該変形を抑制することができる。これにより、スイッチの耐久性を向上することができる。
【００１４】
（６）請求項６に記載の発明は、請求項５に記載のスイッチにおいて、前記外側上面部のうち前記第２側面部よりも外部に突出している部分を突出部として、前記ピラー端子を収容する収容ケースを備え、前記収容ケースには、前記ピラー端子を収容するピラー端子収容室が設けられ、前記ピラー端子収容室には、前記ピラー端子を前記ピラー端子収容室に収容したときに前記突出部が嵌り込む嵌合部が設けられていることを要旨とする。
【００１５】
この発明によれば、ピラー端子をピラー端子収容室に収容すると端子枠の突出部が嵌合部に嵌り込むため、ピラー端子のピラー端子収容室に収容する際におけるピラー端子のピラー端子収容室に対する位置決め精度を高くすることができる。
【発明の効果】
【００１６】
本発明によれば、端子ねじが挿通する開口部の縁と上面部の端縁との間隔を確保することのできるピラー端子及びコンセント及びスイッチを提供することができる。
【図面の簡単な説明】
【００１７】
【図１】本発明のコンセントを具体化した第１実施形態について、同コンセントを分解した状態を示す分解斜視図。
【図２】同実施形態のコンセントについて、このコンセントの断面構造を示す断面図。
【図３】同実施形態のコンセントのボディについて、同ボディにピラー端子及び刃受け部を収容したものの斜視構造を示す斜視図。
【図４】同実施形態のコンセントの刃受け部について、同刃受け部の斜視構造を示す斜視図。
【図５】同実施形態のコンセントの刃受け部について、同刃受け部の側面構造を示す側面図。
【図６】同実施形態のコンセントの刃受け部について、同刃受け部の正面構造を示す正面図。
【図７】同実施形態のコンセントのピラー端子について、同ピラー端子の斜視構造を示す斜視図。
【図８】同実施形態のコンセントのピラー端子について、同ピラー端子の平面構造を示す平面図。
【図９】同実施形態のコンセントの端子補助板について、同端子補助板の斜視構造を示す斜視図。
【図１０】同実施形態の端子部に電線を取り付けたものについて、この電線接続状態の端子部の斜視構造を示す斜視図。
【図１１】同実施形態の端子部に電線を取り付けた状態のものについて、この電線接続状態の端子部を下方から見た下面図。
【図１２】同実施形態の端子部に電線を取り付けた状態のものについて、端子部を透視して見た透視図。
【図１３】本発明のスイッチを具体化した第２実施形態について、同スイッチの斜視構造を示す斜視図。
【図１４】同実施形態のスイッチについて、このスイッチの断面構造を示す断面図。
【図１５】同実施形態のスイッチのボディについて、同ボディの平面構造を示す平面図。
【発明を実施するための形態】
【００１８】
（第１実施形態）
図１〜図１２を参照して、本発明の第１実施形態について説明する。この実施形態では、ピラー端子を含むコンセントとして本発明を具体化した一例を示している。またコンセントの構成としては、栓刃のプラグ及び丸ピンのプラグの双方に対応したものを挙げている。
【００１９】
図１に示すように、コンセントＡは、同コンセントＡの外枠を構成する収容ケース１と、プラグの栓刃が接続される一対の端子部３と、同プラグの栓刃が差し込まれる差込口２２を開閉する扉部２とにより構成されている。
【００２０】
以降では、コンセントＡに対してプラグの栓刃が挿入される方向を「上下方向」とし、その上下方向において差込口２２がある方向を「上方」とし、その反対方向を下方とする。差込口２２の並び方向を「長手方向」とし、この長手方向及び上下方向のいずれにも直行する方向を「幅方向」とする。
【００２１】
収容ケース１には、端子部３の一部を収容するボディ１０と、ボディ１０に取り付けられるカバー２０と、ボディ１０とカバー２０とを係止する係止部品２３とが設けられている。カバー２０には、一対の差込口２２が設けられている。ボディ１０の長手方向の両側面には第１係合部１１が設けられている。カバー２０の長手方向の側面には第２係合部２１が設けられている。第１係合部１１と第２係合部２１は、カバー２０とボディ１０とを組み付けた状態で上下に隣り合うようになっている。係止部品２３は、第１係合部１１と第２係合部２１とに係合して、カバー２０とボディ１０とを締結する。
【００２２】
扉部２には、差込口２２を開閉する一対の開閉体３０と、開閉体３０を付勢する開閉ばね３１と、扉部２を支持する支持部３２とが設けられている。開閉体３０は、カバー２０の長手方向の長さよりも短くされ、差込口２２を閉鎖するようにカバー２０の内側に設けられている。開閉体３０の側面とカバー２０の幅方向の内側面との間には開閉ばね３１が設けられ、一対の開閉体３０が互いに押圧するようにされている。支持部３２は、開閉体３０及び開閉ばね３１を覆うようにしてカバー２０に取り付けられる。同支持部３２は、開閉体３０が幅方向に移動することができるように同開閉体３０を支持している。また同支持部３２には、一対の差込口２２に対応するように一対の栓刃挿通口３３が設けられている。
【００２３】
端子部３には、プラグの栓刃及び丸ピンが挿入される一対の刃受け部４０と、電線３００と刃受け部４０とを接続する一対のピラー端子８０とが設けられている。刃受け部４０は差込口２２に対応する位置に設けられている。ピラー端子８０は、刃受け部４０に対応する位置に設けられている。ピラー端子８０には、電線３００を押圧する端子補助板９０と、端子補助板９０を押圧する端子ねじ１００と、端子ねじ１００を支持する端子枠１１０とが設けられている。
【００２４】
図２を参照して、コンセントＡの差込口２２及び開閉体３０及び刃受け部４０の位置関係について説明する。差込口２２はカバー２０に長手方向に並列している。差込口２２の下方には、開閉体３０が設けられる。開閉体３０の下方には刃受け部４０が設けられている。刃受け部４０の下方にはピラー端子８０が設けられている。
【００２５】
図３を参照して、ボディ１０について端子部３を収容する収容構造を説明する。同図には、片方のピラー端子８０が収容された状態のボディ１０が示されている。
ボディ１０には、長手方向の中間部に隔壁１２が設けられている。ボディ１０の内部は、隔壁１２により２つの端子収容室１３に区切られている。各端子部３は隔壁１２により絶縁される。端子収容室１３には、刃受け部４０を収容する刃受け部収容室１４と、ピラー端子８０を収容するピラー端子収容室１５とが設けられている。
【００２６】
刃受け部収容室１４は、ボディ１０の上部且つ幅方向に亘って設けられている。刃受け部収容室１４の中間部よりも幅方向に離れた位置に突起１６が設けられている。刃受け部４０は、刃受け部収容室１４に配置され、突起１６により位置決めされる。
【００２７】
ピラー端子収容室１５は、ボディ１０の下部且つ幅方向の半分の領域に設けられている。２つのピラー端子収容室１５はボディ１０に対して対角線上に配置されている。ピラー端子収容室１５の底面部１７であって且つピラー端子８０に対向する部分には、電線３００が通る電線挿通口１７ａが設けられている。ピラー端子収容室１５の側面部１８であって且つピラー端子８０と対向する部分には、端子ねじ１００を回すための開口部１８ａが形成されている。また、ピラー端子収容室１５の内周面には、ピラー端子８０を位置決めするための嵌合部１５ａが設けられている。
【００２８】
図４〜図６を参照して、刃受け部４０について説明する。
刃受け部４０には、栓刃または丸ピンが差し込まれる刃受けばね５０と、電線３００と接触する接触端子部７０と、刃受けばね５０と接触端子部７０とを連結する連結部６０とが設けられている。刃受けばね５０と接触端子部７０と連結部６０とは一体的なものであり、一つの部材から加工されている。ここでは、刃受けばね５０に対して丸ピンが挿入される軸を丸ピン挿入軸ＣＡとし、刃受けばね５０に対して栓刃が挿入される栓刃挿入軸ＣＢとする。
【００２９】
刃受けばね５０は、刃受け部本体５１と、丸ピンと接触する一対の丸ピン受けばね５３と、栓刃と接触する一つの栓刃受けばね５５とにより構成されている。
一対の丸ピン受けばね５３は、刃受け部本体５１の幅方向の両側端５２に、互いに対向するように設けられている。同丸ピン受けばね５３は、丸ピン挿入軸ＣＡに対して、上方に向かうにつれて幅方向に広がるように屈曲され、所定高さを超えたところで徐々に狭まるように屈曲され、さらに上方に向かうにつれて再度広がるように形成されている。丸ピン受けばね５３の間隔が狭まるところには、丸ピンと接触する丸ピン接触部５３ａが設けられている。丸ピン受けばね５３のそれぞれは、図５に示すように側面視で異なった形状となっている。すなわち、刃受け部本体５１に対して連結部６０と同じ側に設けられている丸ピン受けばね５３には、その根元を切り欠いた切り欠き部５４が設けられている。他方の丸ピン受けばね５３には切り欠き部５４が設けられていない。切り欠き部５４は連結部６０を形成するために設けられている。すなわち、丸ピン受けばね５３を平面状に展開したときに丸ピン受けばね５３と連結部６０とが重ならないようになっている。このような形状により、刃受け部４０は一枚の部材から形成されるようになっている。
【００３０】
栓刃受けばね５５は、刃受け部本体５１の長手方向の側に設けられている。連結部６０が設けられている。同栓刃受けばね５５は、栓刃挿入軸ＣＢに対して、上方に向かうにつれて幅方向に広がるように屈曲され、所定高さを超えたところで徐々に狭まるように屈曲され、さらに上方するにつれて再度広がるように屈曲されている。栓刃受けばね５５が栓刃挿入軸ＣＢに対して狭まるところには、栓刃と接触する栓刃接触部５５ａが設けられている。
【００３１】
連結部６０は、同刃受け部本体５１と同一平面となるように設けられている。連結部６０の幅方向の側端６２には、刃受け部４０を位置決めする位置決め部６１が設けられている。位置決め部６１は、刃受け部４０がボディ１０に嵌め込められたときに、ボディ１０の側壁に当たるようになっている。
【００３２】
接触端子部７０は、連結部６０の長手方向の側端に、この連結部６０に対して垂直な方向且つ下方に延びるように設けられている。図４に示すように、接触端子部７０は、その断面が円弧状となるように形成されている。すなわち接触端子部７０のうちで電線３００に接触する接触面７１が円弧状に凹む形状に形成され、その両側端が、端子補助板９０が配置されている方向（図中右方向）に向かって屈曲している。また図６に示すように接触面７１には、幅方向に延びる溝７２が複数形成されている。電線３００は接触端子部７０に沿って下方に配置される。すなわち、溝７２は、電線３００の配線方向と交差する方向に延びるように形成されている。
【００３３】
図７及び図８を参照して、ピラー端子８０について説明する。
ピラー端子８０の端子枠１１０は、端子枠貫通孔１１１を有した筒状体により構成されている。すなわち、端子枠１１０は、一枚の金属板から形成され、第１上面部（外側上面部）１１３と、第１上面部１１３から延設された第１側面部１１４と、第１側面部１１４から延設された底面部１１５と、底面部１１５から延設された第２側面部１１６と、第２側面部１１６から延設され第１上面部１１３の内側に配置される第２上面部（内側上面部）１１７とにより構成されている。第１側面部１１４と第２側面部１１６は向かいあって配置されている。また底面部１１５と第２上面部１１７は向かいあって配置されている。また第１上面部１１３には、開口部１１３ａが設けられている。第２上面部１１７には、円筒状の突出部が設けられ、この突出部にねじ穴１１２が形成されている。ねじ穴１１２は、開口部１１３ａに嵌りこむようになっている。ねじ穴１１２には端子ねじ１００がねじ込まれている。
【００３４】
底面部１１５は、接触端子部７０に沿うように円弧状に形成されている。また、ピラー端子８０の端子枠貫通孔１１１には、端子補助板９０が挿入されている。端子ねじ１００が端子枠１１０に対してねじ込まれたときに、端子ねじ１００の先端部１０１が端子補助板９０に当たるようになっている。
【００３５】
また、図８に示すように、第１上面部１１３の幅Ｄ１は、端子枠１１０の幅Ｄ２よりも大きくなっている。すなわち、従来のピラー端子のように突出部１１３ｂが設けられていないものと比較して、第１上面部１１３に形成される開口部１１３ａと第１上面部１１３の端縁までの間隔Ｄ３が大きくなっている。すなわち、第１上面部１１３の端部は、第２側面部に対し外部に向けて突出している。以降では、第１上面部１１３において、端子枠１１０から突出する部分を突出部１１３ｂという。
【００３６】
図９を参照して端子補助板９０について説明する。
端子補助板９０は、平板部９１と、平板部９１の一方の側端に設けられて同平板部９１に対して垂直に延びる第１側壁９２と、平板部９１の他方の側端に設けられて同平板部９１に対して垂直に延びる第２側壁９３と、により構成されている。平板部９１において、第１側壁９２及び第２側壁９３が延びている側の第１面９１ａは、端子ねじ１００が当接する。第１面９１ａとは反対側の第２面９１ｂは電線３００に当接する。第１側壁９２の幅方向の長さは、平板部９１の幅方向の長さよりも長く、且つ端子枠１１０の端子枠貫通孔１１１の幅方向の長さよりも長くなっている。第２側壁９３の幅方向の長さは、端子枠１１０の端子枠貫通孔１１１の幅方向の長さよりも短くなっている。すなわち、端子補助板９０を端子ねじ１００のねじ込み方向に対して平板部９１を垂直にしたときに、第１側壁９２が端子枠１１０に当たるようになっている。
【００３７】
図１０〜図１２を参照して刃受け部４０とピラー端子８０と電線３００との関係を説明する。
図１０に示すように、端子枠１１０の端子枠貫通孔１１１には、端子補助板９０及び電線３００及び接触端子部７０が配置される。図１１に示すように、接触端子部７０は端子枠１１０の底面部１１５側に配置され、端子補助板９０は端子枠１１０の第２上面部１１７側に配置される。電線３００は端子枠１１０の下方から挿入され、接触端子部７０と端子補助板９０との間に配置される。端子枠１１０の底面部１１５と接触端子部７０とは幅方向に亘って接触している。接触端子部７０は断面視において円弧状に形成されているため、電線３００は接触端子部７０の略中間部に配置される。端子ねじ１００は、長手方向にねじ込まれる。端子ねじ１００の先端部１０１は端子補助板９０を押す。また図１２に示すように、端子補助板９０の第１側壁９２は、端子枠１１０の上部に当接して、下方に落ちないようになっている。
【００３８】
本実施形態のコンセントＡによれば、以下の効果を奏することができる。
（１）本実施形態では、端子枠１１０の第１上面部（外側上面部）１１３が第２側面部１１６よりも外部に突出して形成されている。これにより、第１上面部１１３に形成される開口部１１３ａと第１上面部１１３の端縁までの間隔Ｄ３を大きくすることができる。このため、端子枠１１０の製造過程において開口部１１３ａを形成したときに、開口部１１３ａの縁と第１上面部１１３の端縁との間の部分に変形が生じることが少なくなる。
【００３９】
また、開口部１１３ａ及びねじ穴１１２を大きくして、直径の大きい端子ねじ１００を端子枠１１０に挿入することができるようになる。これにより、端子枠１１０の第１側面部１１４または第２側面部１１６と端子ねじ１００の側面との間隔が狭められるため、当該間隔に電線３００が挟み込まれることが少なくなる。すなわち、電線３００が接触端子部７０の上から離れて当該間隔に入ることが抑制されるため、電線３００と接触端子部７０との接触が不十分となることが抑制される。特に、電線３００がより線により構成されているときは、その効果が大きくなる。
【００４０】
（２）本実施形態では、端子枠１１０と端子ねじ１００の先端部１０１との間に、端子ねじ１００の先端部１０１により押される端子補助板９０が設けられている。
端子ねじ１００の先端部１０１により電線３００を押圧する従来のピラー端子にあっては、端子ねじ１００の先端部により電線３００が捻られながら押圧するようになるため、電線３００の一部分に強く圧力が加わる。このため、電線３００が破断するおそれがあった。この点、本発明によれば、電線３００が端子補助板により押圧されるため、電線３００が端子ねじ１００の先端により押圧される構造の従来のピラー端子に比較して、電線３００を均等に押圧することができる。このため、電線３００が破断するおそれを抑制することができる。
【００４１】
（３）本実施形態では、プラグの刃を受ける刃受けばね５０に設けられている接触端子部７０と電線３００とを接続する接続構造が、上記構造のピラー端子８０により構成されている。
【００４２】
端子ねじ１００をねじ込むときに第１上面部１１３に加わる力によって同第１上面部１１３の変形が生じるおそれがある。この点、本発明によれば、第１上面部１１３に形成される開口部１１３ａと第１上面部１１３の端縁までの間隔が大きくなっているため、当該部分の強度が大きくなり、当該部分の変形を抑制することができる。これにより、コンセントＡの耐久性を向上することができる。
【００４３】
（４）本実施形態では、ピラー端子収容室１５に、ピラー端子８０をピラー端子収容室１５に収容したときに突出部１１３ｂが嵌り込む嵌合部１５ａが設けられている。
この構成によれば、ピラー端子８０をピラー端子収容室１５に収容すると端子枠１１０の突出部１１３ｂが嵌合部１５ａに嵌り込むため、このような嵌合部１５ａがないものと比較して、ピラー端子８０のピラー端子収容室１５に収容する際におけるピラー端子８０のピラー端子収容室１５に対する位置決め精度を高くすることができる。
【００４４】
（第２実施形態）
図１３〜図１５を参照して、本発明の第２実施形態について説明する。この実施形態では、ピラー端子を含むスイッチとして本発明を具体化した一例を示している。
【００４５】
本実施形態のスイッチＢは、第１実施形態のピラー端子と同様の構造のピラー端子を用いて構成されたものである。なお、第１実施形態と共通する構成については同一の符合を付してその説明を省略する。
【００４６】
図１３及び図１４に示すように、スイッチＢは、電線３００と接続する端子部２０１と、端子部２０１を収容するボディ２０２と、ボディ２０２の上部を覆うカバー部２０３と、カバー部２０３の上部に取り付けられて一対の電線３００を導通及び切断する押釦部２０４とにより構成されている。
【００４７】
図１４に示すように、押釦部２０４には、外側の押釦カバー２７０と、押釦カバー２７０の内側に配置される押釦本体２７１とが設けられている。押釦本体２７１には、接点端子２３０を支持する支持部２７２が設けられている。
【００４８】
接点端子２３０は、接点端子本体２３１と接点ばね２３３により構成されている。接点端子本体２３１には接点２３２が設けられている。接点ばね２３３は接点端子本体２３１の上部に設けられている。接点ばね２３３の上部は、支持部２７２により保持されている。なお、同図では、接点ばね２３３の上部が省略されている。
【００４９】
端子部２０１は、第１実施形態のものと同様構造の第１ピラー端子２１０及び第２ピラー端子２２０と、第１ピラー端子２１０に対して配置される第１接触端子部２４０と、第２ピラー端子２２０に対して配置される第２接触端子部２５０と、前記接点端子２３０と、により構成されている。第２接触端子部２５０には、接点２３２と電気的に接触する被接点２５４が設けられている。接点２３２と被接点２５４とが接触することにより、第１ピラー端子２１０に接続されている電線３００と、第２ピラー端子２２０に接続されている電線３００とが導通する。
【００５０】
ボディ２０２には、第１ピラー端子２１０を収容するピラー端子収容室２６０ａと、第２ピラー端子２２０を収容するピラー端子収容室２６０ｂと、第１接触端子部２４０の一部及び第２接触端子部２５０の一部及び接点端子２３０とを収容する接点端子収容室２６１とが設けられている。ボディ２０２の底面部であって、第１ピラー端子２１０及び第２ピラー端子２２０に対向する部分には、電線３００が通る電線挿通口２６２が設けられている。ボディ２０２の側面部であって端子ねじ１００と対向する部分には、端子ねじ１００を回すための開口部２６３が形成されている。
【００５１】
図１５に示すように、ピラー端子収容室２６０ａには、第１ピラー端子２１０の第１上面部１１３の突出部１１３ｂが嵌りこむ第１嵌合部２６４ａが設けられている。ピラー端子収容室２６０ｂには、第２ピラー端子２２０の第１上面部１１３の突出部１１３ｂが嵌りこむ第２嵌合部２６４ｂが設けられている。
【００５２】
本実施形態のスイッチＢによれば、先の第１実施形態による前記（１）及び（２）の効果に加えて、さらに以下に示す効果を奏することができる。
（５）本実施形態では、この接触端子部７０と電線３００とが接続する接続構造が、上記構造のピラー端子８０により構成されている。
【００５３】
この構成によれば、第１及び第２ピラー端子において第１上面部１１３に形成される開口部１１３ａと第１上面部１１３の端縁まで部分の強度が大きくなっているため、当該変形を抑制することができる。これにより、スイッチＢの耐久性を向上することができる。
【００５４】
（６）本実施形態では、ピラー端子収容室２６０ａに、第１ピラー端子２１０を同ピラー端子収容室２６０ａに入れたときに突出部１１３ｂが嵌り込む第１嵌合部２６４ａが設けられている。同様に、ピラー端子収容室２６０ｂに、第２ピラー端子２２０を同ピラー端子収容室２６０ｂに入れたときに突出部１１３ｂが嵌り込む第２嵌合部２６４ｂが設けられている。
【００５５】
この構成によれば、ピラー端子８０をピラー端子収容室２６０ａ，２６０ｂに収容したときに突出部１１３ｂが嵌合部２６４ａ，２６４ｂに嵌り込むようになっている。このため、ピラー端子８０のピラー端子収容室２６０ａ，２６０ｂに収容する際におけるピラー端子８０の同ピラー端子収容室２６０ａ，２６０ｂに対する位置決め精度を高くすることができる。
【００５６】
（その他の実施形態）
本発明のピラー端子８０の実施態様は、上記実施形態に例示した内容に限定されるものではなく、例えば以下のように変更して実施することもできる。また、以下の各変形例は、上記実施形態についてのみ適用されるものでなく、異なる変形例同士を互いに組み合わせて実施することもできる。
【００５７】
・上記第１実施形態では、端子枠１１０の第１上面部１１３の幅方向の長さが端子枠１１０の幅方向の長さよりも長くなっている部分である突出部１１３ｂは、上下方向の中間部分に設けられている。このような態様に代えて、突出部１１３ｂが、上下方向に亘って形成されるようにしてもよい。
【００５８】
・上記第１実施形態では、ピラー端子８０の端子枠１１０は鉄材により形成しているが、これに代えて、銅材等を使用してもよい。このよう構成であっても、上記（１）の効果を奏することができる。
【００５９】
・上記第１実施形態では、ピラー端子収容室１５の内周面には、ピラー端子８０を位置決めするための嵌合部１５ａを設けているが、この嵌合部１５ａを省略してもよい。このような構成であっても、上記（１）の効果を奏することができる。
【００６０】
・上記に挙げた第１実施形態の変形例は第２実施形態にも適用される。
【符号の説明】
【００６１】
Ａ…コンセント、１…収容ケース、２…扉部、３…端子部、１０…ボディ、１１…第１係合部、１２…隔壁、１３…端子収容室、１４…刃受け部収容室、１５…ピラー端子収容室、１５ａ…嵌合部、１６…突起、１７…底面部、１７ａ…電線挿通口、１８…側面部、１８ａ…作業穴、２０…カバー、２１…第２係合部、２２…差込口、２３…係止部品、３０…開閉体、３１…開閉ばね、３２…支持部、３３…栓刃挿通口、４０…刃受け部、５０…刃受けばね、５１…刃受け部本体、５２…側端、５３…丸ピン受けばね、５３ａ…丸ピン接触部、５４…切り欠き部、５５…栓刃受けばね、５５ａ…栓刃接触部、６０…連結部、６１…位置決め部、６２，６３…側端、７０…接触端子部、７１…接触面、７２…溝、８０…ピラー端子、９０…端子補助板、９１…平板部、９１ａ…第１面、９１ｂ…第２面、９２…第１側壁、９３…第２側壁、１００…端子ねじ、１０１…先端部、１１０…端子枠、１１１…端子枠貫通孔、１１２…ねじ穴、１１３…第１上面部（外側上面部）、１１３ａ…開口部、１１３ｂ…突出部、１１４…第１側面部、１１５…底面部、１１６…第２側面部、１１７…第２上面部（内側上面部）、Ｂ…スイッチ、２０１…端子部、２０３…カバー部、２０４…押釦部、２１０…第１ピラー端子、２２０…第２ピラー端子、２３０…接点端子、２３１…接点端子本体、２３２…接点、２３３…接点ばね、２４０…第１接触端子部、２４１…第１電線接触部、２４２…第１接点接触部、２４３…連結部、２５０…第２接触端子部、２５１…第２電線接触部、２５２…第２接点接触部、２５３…連結部、２５４…被接点、２０２…ボディ、２６０ａ…ピラー端子収容室、２６０ｂ…ピラー端子収容室、２６１…接点端子収容室、２６２…電線挿通口、２６３…作業穴、２６４ａ…第１嵌合部、２６４ｂ…第２嵌合部、２７０…押釦カバー、２７１…押釦本体、２７２…支持部、３００…電線、９００…従来の刃受け部、９１０…刃受けばね、９１１…刃受け部本体、９１２…丸ピン受けばね、９１３…栓刃受けばね、９２０…端子部、９２１…接触端子部、９３０…リベット。
【図１】
2011108586.tif 000003
【図２】
2011108586.tif 000004
【図３】
2011108586.tif 000005
【図４】
2011108586.tif 000006
【図５】
2011108586.tif 000007
【図６】
2011108586.tif 000008
【図７】
2011108586.tif 000009
【図８】
2011108586.tif 000010
【図９】
2011108586.tif 000011
【図１０】
2011108586.tif 000012
【図１１】
2011108586.tif 000013
【図１２】
2011108586.tif 000014
【図１３】
2011108586.tif 000015
【図１４】
2011108586.tif 000016
【図１５】
2011108586.tif 000017